(57)【要約】【課題】  従来の袋保持装置は、袋の内部に収容した内容物の形状や偏りによっては、内容物を収納した袋が引っ掛かり易く、引っ掛かった後の装置からの取り外しの作業が面倒であるという問題があった。【解決手段】  開口袋保持装置１は、底部材１１、２１と、底部材１１、２１の相互を回動自在に接続する回動部３０からなる底部と、底部材１１、２１の夫々に固定され、底部材１１、２１の夫々から上方に立ち上げられた立上部材１６、２６からなる外周部で構成されている。【選択図】図１
2020101028.tif 000002
【特許請求の範囲】
【請求項１】
複数の底部材と、前記複数の底部材の相互を回動自在に接続する回動部からなる底部と、前記複数の底部材の夫々に固定され、前記複数の底部材の夫々から上方に立ち上げられた複数の立上部材からなる外周部で構成されている開口袋保持装置。
【請求項２】
前記立上部材が固定された前記底部材の夫々の形状は、略同一の形状で形成されている請求項１記載の開口袋保持装置。
【請求項３】
前記回動部で、前記複数の立上部材が固定された前記底部材を複数に分離できる請求項１または請求項２記載の開口袋保持装置。
【請求項４】
前記回動部による接続は、前記底部における部分的な接続である請求項１乃至請求項３記載の開口袋保持装置。
【請求項５】
前記複数の立上部材の上端近傍には、前記複数の立上部材の相互を連結する連結部が設けられている請求項１乃至請求項４記載の開口袋保持装置。
【発明の詳細な説明】
【技術分野】
【０００１】
本発明は、土木工事、農業、工業等に用いられて、土砂や種、粉粒材料等の輸送、収納保管に用いられる大型の袋、所謂フレキシブルコンテナバッグ（略して、フレコンバッグまたはフレコンとも呼ばれる）を、作業を容易にするために開口した状態で保持する開口袋保持装置に関するものである。
【背景技術】
【０００２】
従来、袋に土砂や種子、粉粒材料等を詰める場合には、人が保持して詰めていた。しかしながら、作業の効率化が図るために、袋を大きくすると、袋の保持を人が行うことは安全上の問題があり、特許文献１の発明の名称「袋保持装置」が提案されている。
【先行技術文献】
【特許文献】
【０００３】
【特許文献１】特開２００７−１９８０１２号公報
【発明の概要】
【発明が解決しようとする課題】
【０００４】
しかしながら、特許文献１の発明の名称「袋保持装置」については、接地部５が広く、上側の上部開口部２ａが狭くなる構造であることから、開口縁支持部４に袋体１の外面が触れていく構造であり、袋体１の内部に収容した内容物の形状や偏りによっては、開口縁支持部４に袋体１が引っ掛かってしまうと言う問題があった。
【０００５】
さらに、引っ掛かってしまった場合に、開口縁支持部４を外側に傾け過ぎると、一体となっている開口縁支持部４とそれに接続する下側の部分は、地面に接触するまで完全に倒れてしまい、一体となっている開口縁支持部４とそれに接続する下側の部分を元の位置まで戻す手間が掛かると言う問題があった。
【０００６】
また、一体となっている開口縁支持部４とそれに接続する下側の部分は２箇所あり、連動して動かせないので、一体となっている開口縁支持部４とそれに接続する下側の部分の２箇所を外側に広げる場合には、２箇所を夫々別に広げる必要があり、手間が掛かると言う問題があった。そのためこれらのことから、袋体１が引っ掛かった後の取り外し作業が面倒であった。
【０００７】
さらに特許文献１の「袋保持装置」の接地部５は一体となった四角の枠として形成されているので、平面に整地されてない工事現場、農地、荒野などでは、袋保持装置の安定が悪くなると言う問題があった。
【課題を解決するための手段】
【０００８】
上記の課題を解決するため、本発明では、次の技術的手段を講じている。
【０００９】
第１発明の開口袋保持装置は、複数の底部材と、前記複数の底部材の相互を回動自在に接続する回動部からなる底部と、前記複数の底部材の夫々に固定され、前記複数の底部材の夫々から上方に立ち上げられた複数の立上部材からなる外周部で構成されている。
第２発明の開口袋保持装置は、請求項１記載の発明において、前記立上部材が固定された前記底部材の夫々の形状は、略同一の形状で形成されている。
第３発明の開口袋保持装置は、請求項１または請求項２記載の発明において、前記回動部で、前記複数の立上部材が固定された前記底部材を複数に分離できる。
第４発明の開口袋保持装置は、請求項１乃至請求項３記載の発明において、前記回動部による接続は、前記底部における部分的な接続である。
第５発明の開口袋保持装置は、請求項１乃至請求項４記載の発明において、前記複数の立上部材の上端近傍には、前記複数の立上部材の相互を連結する連結部が設けられている。
【発明の効果】
【００１０】
以上のような、技術的手段を有することにより、以下の効果を有する。
【００１１】
第１発明によれば、立上部材が固定された複数の底部部材が相互に、回動部に回動自在に接続されていることにより、内容物が入れられた袋を開口袋保持装置から吊り上げる場合に、開口袋保持装置が、上部の開口部側向かって広く開口するので、内容物が入れられた袋が引っ掛かり難く吊り上げ作業が容易になる。
さらに、立上部材が固定された複数の底部部材の相互が、回動部によりリンクしているので、一つの立上部材を外側に向かって広げると、他の立上部材も外側に広げることができると同時に、ある程度傾けても、立上部材が完全に倒れてしまうことがないので、引っ掛かった後の取り外し作業が容易になる。また、底部が分割されていることで、整地されてない工事現場でも安定して使用できる。
第２発明によれば、第１発明を利用し、複数の立上部材が固定された複数の底部部材の製作が容易になると同時に、前記の立上部材を外側に向かって拡げた場合にバランスを取ることができる。
第３発明によれば、第１発明または第２発明を利用し、開口袋保持装置を移動や保管する場合に、占有場所の低減が可能となる。
第４発明によれば、第１発明乃至第３発明を利用し、整地されてない工事現場でもさらに安定して使用できる。
第５発明によれば、第１発明乃至第４発明を利用し、内容物が入れられた袋を開口袋保持装置からの取り外しが容易となる。
【図面の簡単な説明】
【００１２】
【図１】本発明に係る第１の実施形態の開口袋保持装置の外観図である。
【図２】本発明に係る第１の実施形態の開口袋保持装置に袋を保持させた図である。
【図３】本発明に係る第１の実施形態の開口袋保持装置と袋に内容物が入った図である。
【図４】本発明に係る第１の実施形態の図３についてのＡ−Ａ断面図である。
【図５】本発明に係る第１の実施形態の袋に内容物が入った状態を説明するＡ−Ａ断面図である。
【図６】本発明に係る第１の実施形態の開口袋保持装置から内容物が入った袋を外す図である。
【図７】本発明に係る第１の実施形態の開口袋保持装置の袋体保持の断面図である。
【図８】本発明に係る第２の実施形態の開口袋保持装置の平面図である。
【図９】本発明に係る第３の実施形態の開口袋保持装置の平面図である。
【図１０】本発明に係る第４の実施形態の開口袋保持装置の外観図である。
【発明を実施するための形態】
【００１３】
本発明に係る開口袋保持装置の実施の形態について図１乃至図７に基づき説明する。なお、この実施の形態によりこの発明が限定されるものではない。
【００１４】
（第１の実施形態）
第１の実施形態について、図１乃至図３に基づき説明する。まず、図１の斜視図を用いて開口袋保持装置１の外観を説明する。開口袋保持装置１は大略すると底部を有した略筒状の外形で、前記底部を有した略筒状の外形を、２分割した第一部材１０と第二部材２０で構成されている。
【００１５】
第一部材１０は、第一底部材１１と、第一底部材１１に固定され上方に立ち上げられた第一立上部材１６で、構成されている。また、第二部材２０は、第二底部材２１と、第二底部材２１に固定され上方に立ち上げられた第二立上部材２６で、構成されている。
【００１６】
第一部材１０と第二部材２０については、第一底部材１１と第二底部材２１の間において、回動部として２箇所の回動部材３０で相互に接続されている。また、第一立上部材１６と第二立上部材２６の上端の間については、連結部として２箇所の連結部材４０で、第一部材１０と第二部材２０が相互に係合されている。
【００１７】
なお、連結部として設けられている２箇所の連結部材４０については、詳しくは後述するが、開口袋保持装置１に取り付けた袋が、土砂、飼料、穀物、粒状や粉状の工業製品等（以下、内容物と略す。）を入れて膨らんだ場合に、開口袋保持装置１に取り付けられた袋の取り外しを容易にするためのものであり、開口袋保持装置１を構成する材料の強度や、袋に入れられる内容物の質量や比重によっては省略できる。
【００１８】
第一部材１０と第二部材２０は、金属製の棒やパイプを溶接することにより形成されている。金属製の材やパイプについては、開口袋保持装置１で保持される袋に詰められる内容物の質量に耐えられる強度を有した材質及び太さを選択する。よって、強度を満足する場合には合成樹脂の材やパイプでも良い。
【００１９】
第一底部材１１と第二底部材２１については、円弧材１２、２２と、円弧材１２、２２の両端に溶接された弦材１３、２３で、略半円形の枠が形成されている。そして、弦材１３、２３から略直角に円弧材１２、２２に向かって橋渡しをした複数の梁材１４ａ、１４ｂ、１４ｃ、２４ａ、２４ｂ、２４ｃの夫々の先端を、弦材１３、２３と円弧材１２、２２に溶接することにより形成されている。
【００２０】
第一立上部材１２と第二立上部材２２については、第一底部材１１と第二底部材２１の夫々の円弧材１２、２２の夫々に溶接し、円弧材１２、２２から略垂直に延伸させた各４本の柱材１７ａ、１７ｂ、１７ｃ、１７ｄ、２７ａ、２７ｂ、２７ｃ、２７ｄと、四本の柱材１７ａ、１７ｂ、１７ｃ、１７ｄ、２７ａ、２７ｂ、２７ｃ、２７ｄの中ほどと、上端に溶接した、円弧状の中段材１８、２８と上段材１９、２９で形成されている。
【００２１】
回動部材３０については、「略Ｕの字状」金具の２箇所の端部に孔を開けたものを２個用い、その「略Ｕの字状」の形状の開口部相互に２個の「略Ｕの字状」の金具を嵌め込み、前記端部の計４箇所の孔にボルトを貫通させてナットにより止めたものである。２箇所の端部に孔が開けられた「略Ｕの字状」金具は、市販品を用いる場合には、ワイヤーやチェーン等の連結金具であるシャックルを用いても良い。
【００２２】
そして、２個の「略Ｕの字状」金具からなる回動部材３０の２箇所曲がりを、第一底部材１１と第二底部材２１夫々の弦材１３、２３に溶接している。本実施形態においては、２個の回動部材３０を、弦材１３、２３の両端近傍に溶接しているが、中央よりに溶接しても良いし、「略Ｕの字状」の金具と、ボルトの材質、太さ、全体の幅を大きくすることで、１個の回動部材３０としても良い。２箇所の回動部材３０にボルト・ナットを用いていることで、開口袋保持装置１を第一部材１０と第二部材２０に分割することが可能となり、不使用時の保管の場所を減らすことが可能となる。
【００２３】
２箇所に設けられている２個の連結部材４０については、所謂引っ掛け鍵金具である。具体的には、第一立上部材１２と第二立上部材２２の上段材１９、２９の両端に、孔の向きが略上下とした金属環（輪）を溶接されている。そして、一方の端が鉤（フック）、他方の端を環状に加工した鉤金具を用い、前記鉤金具の環状に加工した側を、前記円弧状の上段材に溶接した金属環に対して、互いに設けられている孔を鎖状にして結合している。さらに、鉤金具の鉤を他方の円弧状の上段材に溶接した金属環に引っ掛けている。そしてこの形状の２個の連結部材４０を備えていることで、第一立上部材１２の上段材１９と、第二立上部材２２の上段材２９を連結することができる。
【００２４】
この上段材１９、２９と２箇所の連結部材４０で、筒状である開口袋保持装置１の開口部が、第一立上部材１２と第二立上部材２２で、筒状である開口袋保持装置１の外周部が、第一底部材１１、第二底部材２１と２箇所の回動部材３０で、筒状である開口袋保持装置１の底部が、形成されている。なお、前述の様に、連結部材４０を省略しても良い。
【００２５】
なお、回動部材３０と連結部材４０については、第一部材１０と第二部材２０が金属製としているので、金属として説明しているが、第一部材１０と第二部材２０を合成樹脂とする場合には、同じ合成樹脂として、接着、溶着、締結等により取り付けても良い。
【００２６】
図２は、図１の状態の開口袋保持装置１に、袋７を装着した状態を図示している。袋７は、化学繊維等の丈夫なシートを袋状に形成したフレキシブルコンテナバッグである。袋７の用途としては、内容物を入れて、その保管や輸送等に用いられる。また、内容物が土砂である袋７は、それ自体を土嚢として用いられている。
【００２７】
袋７の大きさは、角型のものもあるが、汎用品は円筒形で直径９００〜１２００ｍｍ、高さ９００〜１２００ｍｍ程度であり、入れられるものの種類によっても異なるが、総質量（風袋込質量）は１トン程度になる。
【００２８】
袋７に、内容物を入れる場合には、もちろん人力でシャベル・スコップ等を用いて入れることも可能であるが、前記袋７に収納可能な内容物の量から考えて、機械、例えば、ベルトコンベアや、油圧シャベル（バックホー）等が用いられている。そのため、開口させた袋７をその状態で維持することは、安全性、人間の体力、作業の効率性の面から難しい。そして、無人で、開口させた袋７を保持できる開口袋保持装置１が必要となる。
【００２９】
開口袋保持装置１に袋７を取り付ける場合には、袋７にある開口部７ａを全開にして、開口部７ａから所定の長さ開口袋保持装置１の第一立上部材１６の上段材１９（図１、図３参照）と、第二立上部材２６の上段材２９（図１、図３参照）よりも上に袋７の開口部７ａを食み出させる。そして、袋７の内側の面の食み出した部分７ｂを折り返し、開口袋保持装置１の外側に被せて、開口袋保持装置１に袋７を装着している。
【００３０】
図３は、袋７に内容物を入れた後、開口袋保持装置１から、内容物の入った袋７を取り出す場合を図示したものである。袋７の上段材１９、２９の位置で折り返されていた食み出した部分７ｂを元に戻している。袋７に内容物を入れた場合には、袋７の胴部７ｃは膨らみ、第一立上部材１６の中段部１８、上段材１９と、第二立上部材２６の中断部２８、上段材２９よりも外側に食み出す。
【００３１】
そのため、内容物が入った袋７を開口袋保持装置１から取り出すためには、開口袋保持装置１の２箇所の連結部材４０の鉤の引っ掛けを外す必要があり、図３において、連結部材４０の鉤の引っ掛けが外されている。
【００３２】
また、袋７を開口袋保持装置１から取り出すために、内容物を入れた状態の袋７をそのまま吊り下げが行えるベルト７ｄが袋７に取り付けられているものとしている。このベルト７ｄについては、吊り下げを行うための準備として袋７の上側にベルト７ｄをまとめてある。ベルト７ｄが付いてない袋を使用する場合には、図２の開口袋保持装置１に袋を設置する場合に、最初に袋の下側に吊りベルトを入れて袋の取り出し作業を行う。
【００３３】
図３の開口袋保持装置１だけをＡ−Ａ断面で切断した図４を用いて、開口袋保持装置１から内容物を入れた状態の袋７を取り出す状態について説明する。また、図４において、開口袋保持装置１の袋７で隠れている部分については、破線で図示している。
【００３４】
２箇所の連結部材４０が外されると、袋７は入れられている内容物の重さにより、袋７の胴部７ｃが膨らむことになる。特に袋７の下側の胴部７ｃが多く膨らむことになる。さらに、袋７の食み出した部分７ｂを袋７の中央に集めて開口部７ａをとじれば、さらに袋７の胴部７ｃが膨らむことになる。この場合、袋７の胴部７ｃが膨らむと、膨らんだ胴部７ｃは、開口袋保持装置１の柱材１７ａ、１７ｂ、１７ｃ、１７ｄ、２７ａ、２７ｂ、２７ｃ、２７ｄを外側に向かって押すことになる。
【００３５】
図４で、開口袋保持装置１の柱材１７ａ〜２７ｄを外側に向かって押された状態で、袋７のベルト７ｄが袋７の上側にまとめられている状態で、ベルト７ｄにクレーン車、ホイストクレーン、油圧シャベル（バックホー）等の吊り上げ装置を用い、直接または吊り下げベルトや吊り下げ用ワイヤー等の吊り下げ補助具８を使用して少し吊り上げた状態を図示したものが図５である。
【００３６】
開口袋保持装置１の柱材１７ａ〜２７ｄが外側に押されていても、内容物を入れた状態の袋７の重さで、開口袋保持装置１の第一底部材１１と第二底部材２１、及び回動部材３０は押し付けられているので、第一部材１０と第二部材２０は外側に向かって広がらない。しかしながら、吊り補助具８で、袋７が吊り上げられると、内容物を入れた状態の袋７の重さはなくなり、開口袋保持装置１の柱材１７ａ〜２７ｄが外側に押されるだけの状態になる。
【００３７】
開口袋保持装置１の柱材１７ａ〜２７ｄが外側に押されるだけの状態になれば、開口袋保持装置１は、回動部材３０で回動自在に接続されているので、開口袋保持装置１の第一部材１０と第二部材２０は、略直角の状態を保ちながら、押し広げられることになる。
【００３８】
そのため、第一部材１０と第二部材２０の中段材１８、２８の開口面積よりも、上段材１９、２９の開口面積の方が大きくなる。言い換えれば、柱材１７ａ〜２７ｄは、下側よりも上側に向かって外側に大きく広がることになる。なお、この場合、第一部材１０と第二部材２０は回動部材３０によってリンクする構造となっているので、第一部材１０またはと第二部材２０の一方だけ押されている場合でも、他方側についても、広げられることになる。
【００３９】
これらにより、内容物が入れられて膨らんだ袋７は、上側に向かって拡げられた柱材１７ａ〜２７ｄに沿いながら、吊り上げられることになる。そのため、内容物が入れられて膨らんだ袋７であっても、開口袋保持装置１の第一立上部材１６と第二立上部材２６に引っ掛かり難くなり、吊り上げ作業が楽に行える。
【００４０】
図５のベルト７ｄに吊り補助具８を取り付けられた状態で、さらに袋７を吊り上げ状態の斜視図である。前述の様に開口袋保持装置１に、内容物が入れられて膨らんだ袋７は引っ掛かり難いが、もし途中で内容物が入れられて膨らんだ袋７引っ掛かった場合であっても、第一部材１０と第二部材２０の何れかの一方を外側に向かって引っ張れば、第一部材１０と第二部材２０はさらに大きく扇状に広げることができることを図示した図である。
【００４１】
開口袋保持装置１は、第一部材１０と第二部材２０は、２箇所の回動部材３０で第一底部材１１と第二底部材２１が接続されているリンク形状である。そのため、第一部材１０と第二部材２０は、断面視「略Ｗの字状」形状で左右釣り合った状態で開いて行くことになり、第一部材１０と第二部材２０の重心の位置によっても異なるが、大きく開き過ぎなければ、第一部材１０と第二部材２０が地面に倒れてしまうことはない。
【００４２】
開口袋保持装置１の第一部材１０と第二部材２０を楽に外側に引っ張れることについて説明する。開口袋保持装置１を一般的なレキシブルコンテナバッグに合わせて直径１３ｍｍの金属棒で前述の内容で製作したとしても、開口袋保持装置１の高さは、１メートル程度になるので、第一立上部材１６の上段材１９または第二立上部材２６の上段材２９を掴んで外側に引っ張ることは、成人であれば梃の原理で楽に行えるからである。
【００４３】
開口袋保持装置１の第一部材１０と第二部材２０を扇状に開らいたままとすることもできる。これは、第一部材１０と第二部材２０の形状がほぼ同じものが、回動部材３０を軸としてリンクしており、第一部材１０と第二部材２０でのバランスが取れるからである。なお、第一部材１０と第二部材２０がほぼ同じ形状であれば、製作も容易となる。
【００４４】
以上から、内容物が入れられて胴部７ｃが膨らんだ袋７の吊り上げ作業を行う場合に、開口袋保持装置１に引っ掛かるまたは引っ掛かるおそれがあれば、容易に第一部材１０と第二部材２０を大きく扇状に広げることができる。大きく扇状に拡げられれば、胴部７ｃが膨らんだ袋７の吊り上げ作業が簡単に行えることになる。
【００４５】
図１の開口袋保持装置１が平面に置かれている状態を図示しているが、図５は、第一部材１０よりも少し高い位置に第二部材２０がある状態を図示している。土砂を入れることに開口袋保持装置１を使用する場合には、山や原野等の整地されてない場所で使用する場合もある。開口袋保持装置１の第一部材１０と第二部材２０は、２箇所の回動部材３０と２箇所の連結部材４０で接続されているので、整地されてない小さな石がある場所であっても、開口袋保持装置１が変形して、簡単に安定して置くことが可能となる。開口袋保持装置１については、図１と同一であるので同一の符号を附して説明を省略する。
【００４６】
（第２の実施形態）
第２の実施形態の開口袋保持装置２について、図８に基づき説明する。図５は開口袋保持装置２の平面図である。開口袋保持装置２は、開口袋保持装置１が、第一部材１０と第二部材２０で２分割されていたが、３分割部材５１、５２、５３で略同じ大きさに３分割されている。略同じ大きさで３分割されていることで製作も容易であり、不使用時の収納も簡単になる。また、開口袋保持装置２を開く場合に開口袋保持装置１に比較して大きくが開くことが可能となり、開く作業を行う場合の開口袋保持装置２のバランスも良くなる。
【００４７】
そして、開口袋保持装置２の底部中央部には、回動部材３１が設けられている。回動部材３１は、略三角形の金属板の３辺の略中央部の三か所に、孔の開いた立ち上げを備えており、前記三か所の孔に、３個の「略Ｕの字状」金具がボルトとナットで回動自在に取り付けられている。さらに、回動部材３１の３個の「略Ｕの字状」曲がりを、３分割部材５１、５２、５３の底部材５４、５５、５６の夫々と溶接している。
【００４８】
また、３分割部材５１、５２、５３の立上部材５７、５８、５９が夫々、３箇所の連結部材４０で連結されている。これにより、筒状である開口袋保持装置２の開口部が、形成されている。なお、開口袋保持装置２の外周部については、第１の実施形態の開口袋保持装置１の２分割が３分割になっているだけであるので、説明を省略する。また、袋７を取り付け、内容物を入れて取り外す方法については、第１の実施形態の２分割が３分割になっているだけであり、基本的には同じ内容となるので説明を省略する。なお、開口袋保持装置２の底部は３分割されているので、開口袋保持装置１に比較しても整地されてない場所で開口袋保持装置２は安定しやすくなる。
【００４９】
（第３の実施形態）
第３の実施形態の開口袋保持装置３について、図９に基づき説明する。図９は開口袋保持装置３の平面図である。開口袋保持装置３は、開口袋保持装置１が、第一部材１０と第二部材２０で２分割されていたが、４分割部材６１、６２、６３、６４で略同じ大きさに４分割されている。略同じ大きさで４分割されていることで製作も容易であり、不使用時の収納も簡単になる。また、開口袋保持装置３を開く場合に開口袋保持装置１に比較して大きくが開くことが可能となり、開く作業を行う場合の開口袋保持装置３のバランスも良くなる。
【００５０】
そして、開口袋保持装置３の底部中央部には、回動部材３２が設けられている。回動部材３２は、略四角形の金属板の４辺の略中央部の四か所に、孔の開いた立ち上げを備えており、前記四か所の孔に、４個の「略Ｕの字状」金具がボルトとナットで回動自在に取り付けられている。さらに、回動部材３２の４個の「略Ｕの字状」曲がりを、４分割部材６１、６２、６３、６４の底部材６５、６６、６７、６８の夫々と溶接している。
【００５１】
また、４分割部材６１、６２、６３、６４の立上部材７１、７２、７３、７４が夫々、４箇所の連結部材４０で連結されている。これにより、筒状である開口袋保持装置３の開口部が、形成されている。なお、開口袋保持装置３の外周部については、第１の実施形態の開口袋保持装置１の２分割が４分割になっているだけであるので、説明を省略する。また、袋７を取り付け、袋に内容物を入れて取り外す方法については、第１の実施形態の２分割が４分割になっているだけであり、基本的には同じ内容となるので説明を省略する。なお、開口袋保持装置３の底部は４分割されているので、開口袋保持装置１に比較しても整地されてない場所で開口袋保持装置３は安定しやすくなる。
【００５２】
（第４の実施形態）
第４の実施形態の開口袋保持装置４について、図１０に基づき説明する。図１０は開口袋保持装置４の外観図である。開口袋保持装置４は、金属製の角パイプにより形成されている。開口袋保持装置４は大略すると底部を有した略角筒状の外形で、前記底部を有した略角筒状の外形を、２分割した第一部材８０と第二部材９０で構成されている。
【００５３】
第一部材８０は、第一底部材８１と、第一底部材８１に固定され上方に立ち上げられた第一立上部材８６で、構成されている。また、第二部材９０は、第二底部材９１と、第二底部材９１に固定され上方に立ち上げられた第二立上部材９６で、構成されている。
【００５４】
第一部材８０と第二部材９０については、第一底部材８１と第二底部材９１の間において、２箇所の回動部３３で相互に接続されている。また、第一立上部材８６と第二立上部材９６の上端の間については、２箇所の連結部４１で、第一部材８０と第二部材９０が相互に係合されている。
【００５５】
第一底部材８１と第二底部材９１については、金属製の底角パイプ８２、８３、８４ａ、８４ｂ、９２、９３、９４ａ、９４ｂを、「略目の字状」に溶接している。また、回動部３３については、別の部品とするのではなく、底角パイプ８４ａ、８４ｂ、９４ａ、９４ｂを延伸させて孔を設け、ボルト・ナットで締結することで第一底部材８１と第二底部材９１に組み合わせて形成されている。
【００５６】
第一立上部材８６と第二立上部材９６については、第一底部材８１と第二底部材９１に溶接された立上角パイプ８７ａ、８７ｂ、８７ｃ、８７ｄ、８７ｅ、８７ｆ、９７ａ、９７ｂ、９７ｃ、９７ｄ、９７ｅ、９７ｆを略垂直に立上、立上角パイプ８７ａ〜９７ｆの横方向で「略コの字状」に、中段角パイプ８８、９８、上段角パイプ８９、９９が溶接されている。そして、連結部４１については、立上角パイプ８７ａ、８７ｆ、９７ａ、９７ｆの角パイプの角孔を利用し、一方の端が鉤（フック）、他方の端を環状に加工し、前記角パイプの側面に開けた孔に取り付けた鉤金具で形成されている。
【００５７】
この上段角パイプ８９、９９と２箇所の連結部４１で、角筒状である開口袋保持装置４の開口部が、第一立上部材８６と第二立上部材９６で、角筒状である開口袋保持装置４の外周部が、第一底部材８１、第二底部材９１と２箇所の回動部３３で、角筒状である開口袋保持装置４の底部が、形成されている。
【００５８】
第４の実施形態の開口袋保持装置４に対する袋の取り付けや、内容物が入れられて膨らんだ袋を引き上げる場合の説明については、開口袋保持装置１が円筒状であるのに対して開口袋保持装置４が角筒状である違いだけであり、基本的には同じ内容となるので説明を省略する。
【００５９】
以上、本発明について、第１〜第４の実施形態に基づき説明してきたが、本発明は何らこれらの実施形態の構成に限定するものではない。例えば、第１の実施形態と第３の実施形態で、外観、略円筒形状と説明しているが、角筒状によっても実施できる。また、第４の実施形態において、角パイプであるので、角筒状として説明したが、角パイプであってもベンダーを使用する方法で、円筒状にすることも可能である。さらには、円筒状ではなく、略六角形や略八角形等の多角形の筒状としても実施できる。
【００６０】
さらに付け加えるならば、開口袋保持装置については、軽量化や、内部の袋が見える効果があるので、柱や梁を組み合わせた枠によって形成して実施するものとしているが、開口袋保持装置の一部、例えば、底部だけ金属や合成樹脂の板材にすることや、開口袋保持装置の全部を金属や合成樹脂の板材にすることによっても実施できる。
【００６１】
さらには、この発明は、これらに限定されるものではなく、特許請求の範囲に記載された発明とその均等の範囲を含むものである。
以下に、本件出願の特許請求の範囲に記載された発明を付記する。
（付記）
［１］付記１は、複数の底部材と、前記複数の底部材の相互を回動自在に接続する回動部からなる底部と、前記複数の底部材の夫々に固定され、前記複数の底部材の夫々から上方に立ち上げられた複数の立上部材からなる外周部で構成されている開口袋保持装置である。
［２］付記２は、前記立上部材が固定された前記底部材の夫々の形状は、略同一の形状で形成されている付記１記載の開口袋保持装置である。
［３］付記３は、前記回動部で、前記複数の立上部材が固定された前記底部材を複数に分離できる付記１または付記２記載の開口袋保持装置である。
［４］付記４は、前記回動部による接続は、前記底部における部分的な接続である付記１乃至付記３記載の開口袋保持装置である。
［５］付記５は、前記複数の立上部材の上端近傍には、前記複数の立上部材の相互を連結する連結部が設けられている付記１乃至付記４記載の開口袋保持装置である。
【産業上の利用可能性】
【００６２】
本発明の開口袋保持装置については、土木工事、農業、工業等に用いられる物であり、産業上の利用可能性を有している。
【符号の説明】
【００６３】
１、２、３、４：開口袋保持装置
７：袋
７ａ：開口部
７ｂ：食み出した部分
７ｃ：胴部
７ｄ：ベルト
８：吊り補助具
１０、８０：第一部材
１１、８１：第一底部材
１２、２２：円弧材
１３、２３：弦材
１４ａ、１４ｂ、１４ｃ、２４ａ、２４ｂ、２４ｃ：梁材
１６、８６：第一立上部材
１７ａ、１７ｂ、１７ｃ、１７ｄ、２７ａ、２７ｂ、２７ｃ、２７ｄ：柱材
１８、２８：中段材
１９、２９：上段材
２０、９０：第二部材
２１、９１：第二底部材
２６、９６：第一立上部材
３０、３１、３２：回動部材
３３：回動部
４０、４１：連結部材
４１：連結部
５１、５２、５３：３分割部材
５４、５５、５６、６５、６６、６７、６８：底部材
５７、５８、５９、７１、７２、７３、７４：立上部材
６１、６２、６３、６４：４分割部材
８２、８３、８４ａ、８４ｂ、９２、９３、９４ａ、９４ｂ：底角パイプ
８７ａ、８７ｂ、８７ｃ、８７ｄ、８７ｅ、８７ｆ、９７ａ、９７ｂ、９７ｃ、９７ｄ、９７ｅ、９７ｆ：立上角パイプ
【図１】
2020101028.tif 000003
【図２】
2020101028.tif 000004
【図３】
2020101028.tif 000005
【図４】
2020101028.tif 000006
【図５】
2020101028.tif 000007
【図６】
2020101028.tif 000008
【図７】
2020101028.tif 000009
【図８】
2020101028.tif 000010
【図９】
2020101028.tif 000011
【図１０】
2020101028.tif 000012
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
複数の底部材と、前記複数の底部材の相互を回動自在に接続する回動部からなる底部と、前記複数の底部材の夫々に固定され、前記複数の底部材の夫々から上方に立ち上げられた複数の立上部材と、前記複数の立上部材の上端で前記複数の立上部材相互を係合する引掛け鍵金具の連結部材からなる外周部で構成されているフレキシブルコンテナバッグ用の開口袋保持装置。
【請求項２】
前記立上部材が固定された前記底部材の夫々の形状は、略同一の形状で形成されている請求項１記載のフレキシブルコンテナバッグ用の開口袋保持装置。
【請求項３】
前記回動部で、前記複数の立上部材が固定された前記底部材を複数に分離できる請求項１または請求項２記載のフレキシブルコンテナバッグ用の開口袋保持装置。
【請求項４】
前記回動部による接続は、前記底部における部分的な接続である請求項１〜３いずれか一項に記載のフレキシブルコンテナバッグ用の開口袋保持装置。
【手続補正２】
【補正対象書類名】明細書
【補正対象項目名】０００９
【補正方法】変更
【補正の内容】
【０００９】
第１発明のフレキシブルコンテナバッグ用の開口袋保持装置は、複数の底部材と、前記複数の底部材の相互を回動自在に接続する回動部からなる底部と、前記複数の底部材の夫々に固定され、前記複数の底部材の夫々から上方に立ち上げられた複数の立上部材と、前記複数の立上部材の上端で前記複数の立上部材相互を係合する引掛け鍵金具の連結部材からなる外周部で構成されている。
第２発明のフレキシブルコンテナバッグ用の開口袋保持装置は、請求項１記載の発明において、前記立上部材が固定された前記底部材の夫々の形状は、略同一の形状で形成されている。
第３発明のフレキシブルコンテナバッグ用の開口袋保持装置は、請求項１または請求項２記載の発明において、前記回動部で、前記複数の立上部材が固定された前記底部材を複数に分離できる。
第４発明のフレキシブルコンテナバッグ用の開口袋保持装置は、請求項１〜３いずれか一項に記載の発明において、前記回動部による接続は、前記底部における部分的な接続である。
【手続補正３】
【補正対象書類名】明細書
【補正対象項目名】００１１
【補正方法】変更
【補正の内容】
【００１１】
第１発明によれば、立上部材が固定された複数の底部部材が相互に、回動部に回動自在に接続されていることにより、内容物が入れられた袋を開口袋保持装置から吊り上げる場合に、開口袋保持装置が、上部の開口部側向かって広く開口するので、内容物が入れられた袋が引っ掛かり難く吊り上げ作業が容易になると同時に、前記複数の立上部材の上端で前記複数の立上部材相互を係合する引掛け鍵金具の連結部材あることで、内容物が入れられた袋を開口袋保持装置からの取り外しが容易となる。
さらに、立上部材が固定された複数の底部部材の相互が、回動部によりリンクしているので、一つの立上部材を外側に向かって広げると、他の立上部材も外側に広げることができると同時に、ある程度傾けても、立上部材が完全に倒れてしまうことがないので、引っ掛かった後の取り外し作業が容易になる。また、底部が分割されていることで、整地されてない工事現場でも安定して使用できる。
第２発明によれば、第１発明を利用し、複数の立上部材が固定された複数の底部部材の製作が容易になると同時に、前記の立上部材を外側に向かって拡げた場合にバランスを取ることができる。
第３発明によれば、第１発明または第２発明を利用し、開口袋保持装置を移動や保管する場合に、占有場所の低減が可能となる。
第４発明によれば、第１発明〜第３発明いずれか一つの発明を利用し、整地されてない工事現場でもさらに安定して使用できる。